(57)【要約】【課題】表示された画像に対する色や濃度を補正する際の補正値の入力操作を支障なく行うことができ、それだけ写真処理作業の作業効率を向上させることができる写真処理装置を提供する。【解決手段】写真処理装置１において、表示された画像に対する色及び（又は）濃度を補正する補正手段９５は、表示される画像に対する色及び（又は）濃度を段階的に変化させるための変化率を任意の値に設定する手段９５ａと、設定された変化率で、所定の基準変化率から所定の上限変化率まで段階的に増加するように、且つ、前記基準変化率から所定の下限変化率まで段階的に減少するように、複数段階の選択用補正値を設定する手段９５ｂと、設定された複数段階の選択用の補正値を選択可能に表示する手段９５ｃと、選択可能に表示される複数段階の選択用の補正値のうち選択された一つの補正値を入力する手段９５ｄと、入力された補正値に基づいて補正処理を実行する手段９５ｅとを備える。【選択図】    図２
2004165779.tif 000002
【特許請求の範囲】
【請求項１】
画像情報を読み取る読取手段と、前記読取手段にて読み取られた画像情報を表示する画像表示手段とを備えた写真処理装置において、
前記画像表示手段に表示された画像に対する色及び／又は濃度を補正する補正手段を有し、
前記補正手段は、前記画像表示手段に表示される画像に対する色及び／又は濃度を段階的に変化させるための色変化率及び／又は濃度変化率を任意の値に設定する変化率設定手段と、
前記変化率設定手段にて設定された色変化率及び／又は濃度変化率で、所定の基準変化率から所定の上限変化率まで段階的に増加するように、且つ、前記基準変化率から所定の下限変化率まで段階的に減少するように、複数段階の選択用の色補正値及び／又は濃度補正値を設定する選択用補正値設定手段と、
前記選択用補正値設定手段にて設定された複数段階の選択用の色補正値及び／又は濃度補正値を選択可能に表示する選択用補正値表示手段と、
前記選択用補正値表示手段にて選択可能に表示される複数段階の選択用の色補正値及び／又は濃度補正値のうち、前記画像表示手段に表示された画像に対する色及び／又は濃度を補正するための、選択された一つの色補正値及び／又は濃度補正値を入力する補正値入力手段と、
前記補正値入力手段にて入力された色補正値及び／又は濃度補正値に基づいて補正処理を実行する補正処理手段とを備えていることを特徴とする写真処理装置。
【発明の詳細な説明】
【０００１】
【発明の属する技術分野】
本発明は、写真処理装置に関する。
【０００２】
【従来の技術】
写真処理装置として、カラーネガフィルムやカラーポジフィルム等のフィルムやデジタルカメラ等に用いる記録媒体（メディア）からプリントを作製する際に色や濃度を調整（補正）できる写真処理装置が種々提案され、又は実用されている。特に、印画紙等の写真感光材料（以下、感光材料）に対する露光条件を調整（補正）して色や濃度等のカラーバランスを改善し、低コストでカラープリント等を作製できる写真処理装置が普及している。
【０００３】
近年、コンピュータ等により画像情報をデジタルデータに変換し、このデータを演算処理する技術が進歩している。写真処理装置は、例えば、この技術をカラープリント等の作製にも応用し、デジタルデータに基づく演算結果によって色や濃度に関する補正値を得て露光条件を補正したりすることができるようになっている。
【０００４】
このようなデジタルデータの演算結果を利用する技術のうち、色や濃度の補正は、いわゆるジャッジ画面に画像情報を表示して表示内容をオペレータが目視して補正値が決定され、決定された補正値が入力される。補正値は、色や濃度を何段階かに増減していくように、補正値を選択するだけの程度の補正でも、好適な補正効果を得ることができる。
【０００５】
例えば、画像情報を読み取る読取手段と、前記読取手段にて読み取られた画像情報を表示する画像表示手段とを備えた写真処理装置において、前記画像表示手段に表示される画像に対する色や濃度を段階的に変化させるための変化率を任意の値に設定し、設定された変化率で、所定の基準変化率から所定の上限段階まで段階的に増加するように、且つ、前記基準変化率から所定の下限段階まで段階的に減少するように、固定された複数段階の選択用の色や濃度の補正値を設定し、設定された複数段階の選択用の補正値を選択可能に表示し、選択可能に表示される複数段階の選択用の補正値のうち、前記画像表示手段に表示された画像に対する色や濃度を補正するための、選択された一つの補正値を入力し、さらに、入力された補正値に基づいて補正処理を実行することで、前記画像表示手段に表示された画像に対して色や濃度を補正することがあった。
【０００６】
【課題が解決しようとする課題】
しかしながら、前記したように、画像表示手段に表示される画像に対する色や濃度を段階的に変化させるための変化率を任意の値（例えば１％や０．５％）に設定し、設定された変化率で、所定の基準変化率（例えば０％）から所定の上限段階（例えば＋１５段階）まで段階的に増加するように、且つ、前記基準変化率（例えば０％）から前記下限段階（例えば−１５段階）まで段階的に減少するように、固定された複数段階（例えば固定された３０段階（変化率が０％の段階を除く））の選択用の補正値を設定し、設定された複数段階の選択用の補正値を選択可能に表示し、選択可能に表示される複数段階の選択用の補正値のうち、選択された一つの補正値を入力し、さらに、入力された補正値に基づいて補正処理を実行することで、前記画像表示手段に表示された画像に対する色や濃度を補正する写真処理装置においては、次のような問題があった。
【０００７】
すなわち、前記複数段階の選択用の補正値は、例えば、前記設定された変化率を「１％」、前記基準変化率を「０％」、前記上限段階を「＋１５段」及び前記下限段階を「−１５段階」とすると、−１５％（−１５段階），−１４％（−１４段階），・・・，−１％（−１段階），＋１％（＋１段階），・・・，＋１４％（＋１４段階），＋１５％（＋１５段階）の合計３０段階の値）となる。
【０００８】
ところが、表示画像によっては微妙に補正する必要があるため、前記の変化率より小さく設定したい場合があり、この場合の選択用補正値は、例えば、前記の変化率より小さく設定された変化率を「０．５％」とすると、−７．５％（−１５段階），−７％（−１４段階），・・・，−０．５％（−１段階），＋０．５％（＋１段階），・・・，＋７％（＋１４段階），＋７．５％（＋１５段階）の合計３０段階の値）となる。
【０００９】
よって、小さく設定された変化率（例えば０．５％）のときの補正値を選択できる範囲（例えば−７．５％〜＋７．５％）は、前記選択用補正値の段階数が既述したように固定されているため、もとの変化率（例えば１％）による範囲（例えば−１５％〜＋１５％）よりも狭くなり、この選択範囲から外れて補正値を入力するには、例えば、テンキー等のキー入力手段を用いて入力すればよいが、この場合、キー入力操作等の作業が余分に必要となり、写真処理作業の作業効率が低下する。
【００１０】
そこで、本発明は、前記問題に鑑みてなされたもので、画像情報を読み取る読取手段と、前記読取手段にて読み取られた画像情報を表示する画像表示手段とを備えた写真処理装置であって、前記画像表示手段に表示された画像に対する色や濃度を補正する際の補正値の入力操作を支障なく行うことができ、それだけ写真処理作業の作業効率を向上させることができる写真処理装置を提供することを課題とする。
【００１１】
【課題を解決するための手段】
本発明は、前記課題を解決するため、画像情報を読み取る読取手段と、前記読取手段にて読み取られた画像情報を表示する画像表示手段とを備えた写真処理装置において、
前記画像表示手段に表示された画像に対する色及び／又は濃度を補正する補正手段を有し、
前記補正手段は、前記画像表示手段に表示される画像に対する色及び／又は濃度を段階的に変化させるための色変化率及び／又は濃度変化率を任意の値（０％を除く）に設定する変化率設定手段と、
前記変化率設定手段にて設定された色変化率及び／又は濃度変化率で、所定の基準変化率から所定の上限変化率まで段階的に増加するように、且つ、前記基準変化率から所定の下限変化率まで段階的に減少するように、複数段階の選択用の色補正値及び／又は濃度補正値を設定する選択用補正値設定手段と、
前記選択用補正値設定手段にて設定された複数段階の選択用の色補正値及び／又は濃度補正値を選択可能に表示する選択用補正値表示手段と、
前記選択用補正値表示手段にて選択可能に表示される複数段階の選択用の色補正値及び／又は濃度補正値のうち、前記画像表示手段に表示された画像に対する色及び／又は濃度を補正するための、選択された一つの色補正値及び／又は濃度補正値を入力する補正値入力手段と、
前記補正値入力手段にて入力された色補正値及び／又は濃度補正値に基づいて補正処理を実行する補正処理手段とを備えていることを特徴とする写真処理装置を提供する。
【００１２】
本発明に係る写真処理装置によると、前記選択用補正値設定手段において設定される複数段階の選択用の色補正値及び／又は濃度補正値は、前記変化率設定手段にて設定された色変化率及び／又は濃度変化率（例えば１％や０．５％）で、所定の基準変化率（例えば０％）から所定の上限変化率（例えば＋１５％）まで段階的に増加するように、且つ、前記基準変化率（例えば０％）から所定の下限変化率（例えば−１５％）まで段階的に減少するように設定される値（例えば−１５％（−１５段階），−１４％（−１４段階），・・・，−１％（−１段階），＋１％（＋１段階），・・・，＋１４％（＋１４段階），＋１５％（＋１５段階）の合計３０段階の値や−１５％（−３０段階），−１４．５％（−２９段階），・・・，−０．５％（−１段階），＋０．５％（＋１段階），・・・，＋１４．５％（＋２９段階），＋１５％（＋３０段階）の合計６０段階の値）となるので、前記選択用補正値設定手段において選択用の色補正値及び／又は濃度補正値の段階数を前記変化率設定手段にて設定された色変化率及び／又は濃度変化率に応じて可変させることができ、その結果、選択用の色補正値及び／又は濃度補正値の範囲は、前記変化率設定手段にて設定された色変化率及び／又は濃度変化率（例えば１％や０．５％）に関わらず、所定の選択範囲（例えば−１５％〜＋１５％）と同等乃至略同等となる。従って、この選択範囲から外れて補正値を入力する必要がなく、例えば、キー入力操作等の余分な作業を行うことがなく、これにより、前記画像表示手段に表示された画像に対する色や濃度を補正する際の補正値の入力操作を支障なく行うことができ、それだけ写真処理作業の作業効率を向上させることができる。
【００１３】
本発明に係る写真処理装置において、前記変化率設定手段にて設定される色変化率及び／又は濃度変化率としては、それには限定されないが、０．１％〜２０％を例示できる。また、前記選択用補正値設定手段にて設定される複数段階の選択用の色補正値及び／又は濃度補正値について、前記所定の基準変化率としては、それには限定されないが、０％を例示できる。
【００１４】
前記読取手段としては、カラーネガフィルム、カラーポジフィルムを走査読み取るとともに読み取られた画像情報をデジタル変換してデジタル画像を取得する走査装置やデジタルカメラ等に用いる記録媒体（メディア）を読み取って読み取られた画像情報のデジタル画像を取得する情報再生装置を例示できる。また、前記画像表示手段としては、例えば、ＣＲＴ（ｃａｔｈｏｄｅ  ｒａｙ  ｔｕｂｅ）やＬＣＤ（ｌｉｑｕｉｄ  ｃｒｙｓｔａｌ  ｄｉｓｐｌａｙ）等の画像表示装置を挙げることができる。
【００１５】
本発明に係る写真処理装置では、前記選択用補正値表示手段は、前記選択用補正値設定手段にて設定された複数段階の選択用の色補正値及び／又は濃度補正値を選択可能に表示する場合、前記画像表示手段を用いて表示してもよい。この場合、前記補正値入力手段は、前記画像表示手段に選択可能に表示される複数段階の選択用の色補正値及び／又は濃度補正値のうち、前記画像表示手段に表示された画像に対する色及び／又は濃度を補正するための、選択された一つの色補正値及び／又は濃度補正値を入力すればよい。或いは／さらに、前記変化率設定手段は、予め設定された複数の選択用の色変化率及び／又は濃度変化率を選択可能に表示する選択用変化率表示手段と、前記選択用変化率表示手段にて選択可能に表示される複数の選択用の色変化率及び／又は濃度変化率のうち、前記画像表示手段に表示される画像に対する色及び／又は濃度を段階的に変化させるための、選択された一つの色変化率及び／又は濃度変化率を入力する変化率入力手段とを備えていてもよい。この場合、前記選択用変化率表示手段は、前記予め設定された複数の選択用の色変化率及び／又は濃度変化率を選択可能に表示する場合、前記画像表示手段を用いて表示してもよい。この場合、前記変化率入力手段は、前記画像表示手段に選択可能に表示される複数の選択用の色変化率及び／又は濃度変化率のうち、前記画像表示手段に表示される画像に対する色及び／又は濃度を段階的に変化させるための、選択された一つの色変化率及び／又は濃度変化率を入力すればよい。なお、前記選択用変化率表示手段によって前記画像表示手段に表示される複数の選択用の色変化率及び／又は濃度変化率（例えば０．１％〜２０％）のうち１つの選択用の色変化率及び／又は濃度変化率（例えば５．８％）を既定値（デフォルト値）として表示してもよい。
【００１６】
【発明の実施の形態】
以下、添付図面を参照しつつ、本発明の実施の形態について説明する。図１は本発明に係る写真処理装置の一実施形態の全体概略図を示す。
【００１７】
図１に示す本写真処理装置Ａは、画像処理装置１と画像露光現像装置２とで構成されている。画像処理装置１は、カラーネガフィルムＦやカラーポジフィルムＦを走査し読み取るとともに読み取られた画像情報をデジタル変換してデジタル画像を取得する走査装置６２と、画像処理装置１の制御を含む本写真処理装置Ａ全体を制御する主制御装置９０とを備えている。主制御装置９０は、制御部９１（後述する図２及び図３参照）、及びＣＤ−ＲＯＭやデジタルカメラ等に用いるメモリカード等のメディアＭを読み取って読み取られた画像情報のデジタル画像を取得する情報再生装置９２を備えており、この情報再生装置９２と前記の走査装置６２とで画像情報を読み取る読取手段を構成している。
【００１８】
画像処理装置１は、前記の走査装置６２や情報再生装置９２にて読み取られた画像情報を表示する画像表示手段２０、画像表示手段２０の表示に基づきデータを入力する入力装置６をさらに備えている。この画像表示手段としては、ＣＲＴやＬＣＤ等の表示装置を用いることができ、画像表示手段２０は、ここではＣＲＴモニターである。入力装置６は、モニター２０に表示される表示画面に対してキー入力を行うキーボード６ａとモニター２０に表示される表示画面のマウス操作を行うマウス６ｂとで構成されている。また、画像露光現像装置２は、感光材料に露光処理を施す露光装置６３（図１では図示せず、後述する図２及び図３参照）と、露光装置６３で露光処理された感光材料に現像処理を施す現像処理装置６１（同じく図２及び図３参照）と、現像処理装置６１で現像処理が施された感光材料を乾燥する乾燥処理部４と、乾燥処理部４で乾燥された感光材料をオーダー、及びサイズ毎に仕分けて回収する回収部５とで構成されている。
【００１９】
図２に図１に示す写真処理装置Ａの制御部９１による制御を説明するための概略ブロック図を示す。
【００２０】
図２に示すように、制御部９１は、前記の走査装置６２、情報再生装置９２及びモニター２０並びに露光装置６３に接続されており、記憶手段９３、演算処理手段９４、及びモニター２０に表示された画像に対する色及び濃度を補正する補正手段９５を含んでいる。
【００２１】
走査装置６２は、既述したように、フィルムＦを走査し読み取して画像情報を取得するものであり、図示を省略した変換手段を含んでいる。走査装置６２は、通常は、カラーネガフィルムＦ等のカラー画像の各画素を青、緑及び赤の３原色に分解測光し、各画素ごとに青、緑及び赤の各光強度を色信号として色ごとに順番に読み出すカラースキャナ装置が用いられることが多い。前記変換手段は、カラースキャナで走査読み取されたアナログ画素値をデジタル値に変換するものであり、よく知られたＡ／Ｄ変換装置が用いられる。
【００２２】
記憶手段９３は、モニター２０に表示されるデジタル画像や、該デジタル画像の演算処理途中のデータ、ＬＵＴ（ｌｏｏｋｕｐ  ｔａｂｌｅ）に関する所定のデータ等を記憶する。そのため、ＲＡＭ及びＲＯＭ等によって構成される。
【００２３】
演算処理手段９４は、色及び濃度の補正のための種々のパラメータ等の閾値やＬＵＴを発生させるための演算処理、一般的に画像に対して行う調色（色、濃度）や種々の画像処理を行うことができるように、種々の論理回路や演算回路、レジスタ、プロセッサ等によって構成される。露光装置６３は、演算処理手段９４から送られてくる画像情報に基づいて写真感光材料に露光することができる。なお、補正手段９５については後述する。
【００２４】
次に、図１に示す写真処理装置Ａの処理工程について図３を参照しながら説明する。図３に図１に示す写真処理装置Ａの処理工程を説明するための図を示す。
【００２５】
簡単に工程の流れを追いつつ主要構成を以下に説明する。なお、カラープリントを例にとって説明するが、モノクロプリントであっても同様の処理が行われる。
【００２６】
画像露光現像装置２は、前記した露光装置６３、現像処理装置６１、乾燥処理部４及び回収部５の他、搬送装置４３等を具備している。
【００２７】
画像処理装置１において、例えば、走査装置６２がカラーネガフィルムＦ等の画像情報を走査読み取りする。制御部９１では、演算処理手段９４にてモニター２０の表示画面に従って色及び濃度の補正が行われる。この補正により、補正されたデジタル画像が露光データとして決定される。この補正については、後ほど詳しく説明する。
【００２８】
画像露光現像装置２において、感光材料４０がマガジン４２から引き出され、搬送装置４３のうちのローラ等によって搬送される。感光材料は、例えば、定寸に切断され、露光装置部４１において、露光装置６３によって、感光材料４０が露光される。
【００２９】
現像処理装置６１では、感光材料４０に対して、現像、定着、水洗等の種々の化学的処理（薬液Ｑ等）が行われ、さらに乾燥処理部４では、乾燥処理が行われ、かかる一連の工程が自動的になされる。そして搬送装置４３は、これらの工程において感光材料４０を搬送する。回収部５では、図１に示すように、大判の感光材料４０はトレー５２に回収され、小判の感光材料４０は仕分部５４にてオーダー毎に仕分けられ、回収される。仕分部５４は、小判感光材料の排出方向に対して直交方向に移動するコンベア５５と、該コンベア５５によって運ばれてくる小判感光材料をオーダー毎に仕分ける仕分装置５６とで構成されている。仕分装置５６は、上下方向に移動可能に配設された複数の受け皿５７を備えており、該受け皿５７が上下方向に移動することで、コンベア５５によって搬送されてくる小判感光材料を各受け皿５７へオーダー毎に振り分けるように構成されている。
【００３０】
そして、以上のような写真処理装置Ａ全体としての処理は主制御装置９０によって制御され、主制御装置９０は、演算処理手段９４の動作等を制御するように、電源等（図示せず）に接続され、写真処理装置Ａ全体の制御を行う。
【００３１】
写真処理装置Ａは、色及び濃度の補正を図１（及び図２）に示すモニター２０に表示される変化率設定画面及びジャッジ画面で指示入力するように構成されている。以下、色及び濃度の補正を指示入力することをあわせて補正指示入力という。
【００３２】
補正指示入力は、前記の補正手段９５によって行われる。この補正手段９５は、既述の通り、モニター２０に表示された画像に対する色及び濃度を補正するものであり、変化率設定手段９５ａと、選択用補正値設定手段９５ｂと、選択用補正値表示手段９５ｃと、補正値入力手段９５ｄと、補正処理手段９５ｅとを備えている（図２も参照）。
【００３３】
まず、変化率設定画面について説明する。図４は、写真処理装置Ａにおけるモニター２０に表示される変化率設定画面の一例（キー変化率設定画面１１）の平面説明図であり、この画面において、色変化率（カラーキー変化率）及び濃度変化率（濃度キー変化率）を設定することができる。
【００３４】
キー変化率設定画面１１は、変化率設定手段９５ａによって表示され、図４に示すように、カラーネガフィルム用の設定領域１２、カラーポジフィルム用の設定領域１３及びメディア用の設定領域１４からなっている。
【００３５】
フィルム用の設定領域１２，１３は、それぞれカラーキー変化率設定領域１２１，１３１、濃度キー変化率設定領域１２２，１３２からなっている。各変化率設定領域１２１，１２２，１３１，１３２においては、いずれもフィルムサイズの種類（図示例では１３５・２４０・１１０・１２０の４種類）ごとに変化率を設定できるようになっている。
【００３６】
変化率設定手段９５ａは、図２に示すように、選択用変化率表示手段９５１ａと変化率入力手段９５２ａを備えている。画面１１では、選択用変化率表示手段９５１ａによって、各変化率設定領域１２１，１２２，１３１，１３２の各フィルムサイズの種類ごとの設定領域１２１ａ〜１２１ｄ，１２２ａ〜１２２ｄ，１３１ａ〜１３１ｄ，１３２ａ〜１３２ｄに、予め設定された複数段階の選択用の色変化率及び濃度変化率（ここでは０．１％から２０．０％まで０．１％で段階的に変化させた、例えば、０．１％から２０．０％になるまで０．１％ずつ加算処理していき各加算処理において得られた２００段階（０．１％、０．２％、・・・、１９．９％、２０．０％）の変化率）が選択可能に表示される。
【００３７】
メディア用の設定領域１４は、カラーキー変化率設定領域１４１、濃度キー変化率設定領域１４２からなっており、各濃度キー変化率設定領域１４１，１４２において変化率を設定できるようになっている。
【００３８】
画面１１では、選択用変化率表示手段９５１ａによって、各変化率設定領域１４１，１４２に、予め設定された複数段階の選択用の色変化率及び濃度変化率（ここでは０．１％から２０．０％まで０．１％で段階的に変化させた２００段階の変化率）が選択可能に表示される。
【００３９】
各変化率設定領域１２１，１２２，１３１，１３２，１４１，１４２においては、ここでは、画面１１上の「上三角（▲）」ボタンをマウス操作によるポインタＰを用いてクリックする（以下単に「クリックする」という）ことにより、既に表示されている変化率から２０％まで０．１％ずつ段階的に増加させた選択用変化率がクリックした領域から上方に向けて選択可能に表示され、「下三角（▼）」ボタンをクリックすることにより、既に表示されている変化率から０．１％まで０．１％ずつ段階的に減少させた選択用変化率がクリックした領域から下方に向けて選択可能に表示される。かくして、オペレータは表示された選択用変化率を選択することができる。なお、画面表示初期には、前記複数段階の選択用の色変化率及び濃度変化率（ここでは０．１％から２０．０％まで０．１％で段階的に変化させた２００段階の変化率）のうち１つの選択用の色変化率及び濃度変化率（ここでは５．８％）が既定値（デフォルト値）として表示される。なお、画面右下の「ＮＯ．キャンセル」ボタン１６をクリックすることにより、所定の前画面に戻ることができる。
【００４０】
そして、変化率入力手段９５２ａにてキー変化率設定画面１１に選択可能に表示される選択用の色変化率及び濃度変化率のうち、モニター２０に表示される画像に対する色及び濃度を段階的に変化させるための、各選択された一つの色変化率及び濃度変化率が入力される。ここでは、「ＮＯ．キャンセル」ボタン１６の左横の「ＹＥＳ．ＯＫ」ボタン１５をクリックすることにより、各色変化率及び各濃度変化率が入力される。なお、カラーキー変化率は、ここではモニター２０に表示される画像のイエロー（Ｙ）成分、マゼンタ（Ｍ）成分、シアン（Ｃ）成分（以下単に「Ｙ」、「Ｍ」、「Ｃ」という）のいずれも共通の変化率としている。また、濃度キー変化率は、モニター２０に表示される画像の濃度（以下単に「Ｄ」という）の変化率としている。但し、「Ｙ」、「Ｍ」、「Ｃ」のそれぞれについて変化率を任意の値に設定してもよい。
【００４１】
次に、選択用補正値設定手段９５ｂ（図２参照）において、変化率設定手段９５ａにて設定された色変化率及び濃度変化率（例えば１５％や４％）で、所定の基準変化率（例えば０％）から所定の上限変化率（例えば＋３０％）まで段階的に増加するように、且つ、前記基準変化率（例えば０％）から所定の下限変化率（例えば−３０％）まで段階的に減少するように、複数段階の選択用の色補正値及び濃度補正値が設定され、例えば、基準変化率０％で上下限変化率±３０％の場合において、変化率が１５％のときは、０％から−３０％まで１５％ずつ減算処理され、各減算処理において得られた−１５％（−１段階），−３０％（−２段階），及び０％から＋３０％まで１５％ずつ加算処理され、各加算処理において得られた＋１５％（＋１段階），＋３０％（＋２段階）の合計４段階の選択用補正値や、変化率が４％のときは、０％から−２８％まで４％ずつ減算処理され、各減算処理において得られた−４（−１段階），・・・，−２４％（−６段階），−２８％（−７段階）及び０％から＋２８％まで４％ずつ加算処理され、各加算処理において得られた＋４（＋１段階），・・・，＋２４％（＋６段階），＋２８％（＋７段階）の合計１４段階の選択用補正値が設定され、ジャッジ画面に移行する。なお、ここでは、上下限変化率±３０％の場合を例にとって説明したが、上限変化率が＋５０％〜＋１００％程度、下限変化率が−５０％〜−１００％程度であってもよい。例えば、変化率を５．８％、基準変化率を０％とし、上下限変化率を±８７％（±１５段階）としてもよい。
【００４２】
図５に写真処理装置Ａにおけるモニター２０に表示されるジャッジ画面の一例２１の平面説明図を示す。この画面２１において、色補正値（「Ｙ」、「Ｍ」、「Ｃ」のカラーキーに関する補正値）及び濃度補正値（「Ｄ」の濃度キーに関する補正値）を入力することができる。
【００４３】
ジャッジ画面２１は、ジャッジ画面表示手段（図２では図示省略）及び選択用補正値表示手段９５ｃによって表示され、この画面にデジタル画像等が表示される。
【００４４】
このジャッジ画面２１において、選択用補正値設定手段９５ｂにて設定された複数段階の選択用の色補正値及び濃度補正値が選択用補正値表示手段９５ｃにて表示される。
【００４５】
図５に示すように、ジャッジ画面２１は、コマ画像２２が縦横２×３列に表示されている。それぞれのコマ画像２２には、色補正ボタン兼色補正表示部（以下単に色補正ボタンという）２３ｙ，２３ｍ，２３ｃ、濃度補正ボタン兼濃度補正表示部（以下単に濃度補正ボタンという）２３ｄ、補正値選択ボタン２４、スキャナ補正値の表示部２５、コマ番号の表示部２６、枚数の表示部２７が配置されている。なお、色補正ボタン２３ｙ，２３ｍ，２３ｃは、それぞれジャッジ画面２１に表示された画像の「Ｙ」，「Ｍ」，「Ｃ」を補正するためのボタンであり、濃度補正ボタン２３ｄは、ジャッジ画面２１に表示された画像の「Ｄ」を補正するためのボタンである。
【００４６】
画面２１では、選択用補正値表示手段９５ｃによって、各コマ２２の色補正ボタン２３ｙ，２３ｍ，２３ｃ及び濃度補正ボタン２３ｄに、選択用補正値設定手段９５ｂにて設定された複数段階の選択用の色補正値及び濃度補正値（例えば、−２段階（−３０％），−１段階（−１５％），＋１段階（＋１５％），＋２段階（＋３０％）の合計４段階の選択用補正値や、−７段階（−２８％），−６段階（−２４％），・・・−１段階（−４％），＋１段階（＋４％），・・・，＋６段階（＋２４％），＋７段階（＋２８％）の合計１４段階の選択用補正値）が表示される。なお、画面表示初期には、前記所定の基準変化率（ここでは０％）が選択され、「Ｎ」がデフォルト値として表示される。
【００４７】
各コマ２２の色補正ボタン２３ｙ，２３ｍ，２３ｃ及び濃度補正ボタン２３ｄについて、ここでは、補正したい補正ボタンをクリックすることで反転表示させ、反転表示させた補正ボタンについて、画面上の「左三角ボタン」２４Ｌをクリックするごとに、選択用の色補正値及び濃度補正値が１段階ずつ小さくなり、画面上の「右三角ボタン」２４Ｒをクリックするごとに、選択用の色補正値及び濃度補正値が１段階ずつ大きくなる。かくして、オペレータは選択用の色補正値及び濃度補正値を選択することができる。
【００４８】
ここでは、「左三角ボタン」２４Ｌをクリックするごとに、次のような表示となる。
2004165779.tif 000003
また、「右三角ボタン」２４Ｒをクリックするごとに、次のような表示となる。
2004165779.tif 000004
【００４９】
そして、補正値入力手段９５ｄによって、ジャッジ画面２１に表示される複数段階の選択用の補正値のうち、画面２１に表示された画像に対する色及び濃度を補正するための、各選択された一つの選択用の色補正値及び濃補正値が入力される。ここでは、画面左下の「ＨＯＬＤ」ボタン３３をクリックすることにより、各色補正値及び各濃度補正値が入力される。
【００５０】
その後、補正処理手段９５ｅによって、ジャッジ画面２１に表示された画像の「Ｙ」、「Ｍ」、「Ｃ」に対して、画面２１において入力された「Ｙ」に関する補正値、「Ｍ」に関する補正値、「Ｃ」に関する補正値に基づいてそれぞれ補正処理が実行される。また、ジャッジ画面２１に表示された画像の「Ｄ」に対して、画面２１において入力された「Ｄ」に関する補正値に基づいて補正処理が実行され、ジャッジ画面２１に補正された画像が表示される。そして、画面右下の「ＳＴＡＲＴ」ボタン３８をクリックすることにより、補正された画像が確定され、次の処理がなされる。一方、ジャッジ画面２１に表示された画像をさらに補正したいときは、「ＨＯＬＤ」ボタン３３の上の「Ｆ」ボタン３２をクリックすることで、再び各色補正値及び各濃度補正値を選択して入力することができるようになる。なお、「ＳＴＡＲＴ」ボタン３８の上の「ＲＥＴＵＲＮ」ボタン３９をクリックすることにより、前記の「キー変化率設定画面」に戻ることができる。
【００５１】
以上説明した写真処理装置Ａによると、選択用補正値設定手段９５ｂにおいて設定される複数段階の選択用の色補正値及び濃度補正値（０％除く）は、変化率設定手段９５ａにて設定された色変化率及び濃度変化率（例えば１５％や４％）で、所定の基準変化率（例えば０％）から所定の上限変化率（例えば＋３０％）まで段階的に増加するように、且つ、前記基準変化率（例えば０％）から所定の下限変化率（例えば−３０％）まで段階的に減少するように設定される値（例えば、−３０％，−１５％，＋１５％，＋３０％の合計４段階の選択用補正値や、−２８％，−２４％，・・・−４，＋４，・・・，＋２４％，＋２８％の合計１４段階の選択用補正値）となるので、選択用補正値設定手段９５ｂにおいて選択用の色補正値及び濃度補正値の段階数を変化率設定手段９５ａにて設定された色変化率及び濃度変化率に応じて可変させることができ、その結果、選択用の色補正値及び濃度補正値の範囲は、変化率設定手段９５ａにて設定された色変化率及び濃度変化率（例えば１５％や４％）に関わらず、所定の選択範囲（例えば−３０％〜＋３０％）と同等（例えば−３０％〜＋３０％）乃至略同等（例えば−２８％〜＋２８％）となる。従って、この選択範囲から外れて補正値を入力する必要がなく、例えば、キー入力操作等の余分な作業を行うことがなく、これにより、モニター２０に表示された画像に対する色や濃度を補正する際の補正値の入力操作を支障なく行うことができ、それだけ写真処理作業の作業効率を向上させることができる。
【００５２】
【発明の効果】
以上説明したように本発明によると、画像情報を読み取る読取手段と、前記読取手段にて読み取られた画像情報を表示する画像表示手段とを備えた写真処理装置であって、前記画像表示手段に表示された画像に対する色や濃度を補正する際の補正値の入力操作を支障なく行うことができ、それだけ写真処理作業の作業効率を向上させることができる写真処理装置を提供することができる。
【図面の簡単な説明】
【図１】本発明に係る写真処理装置の一実施形態の全体概略図である。
【図２】図１に示す写真処理装置の制御部による制御を説明するための概略ブロック図である。
【図３】図１に示す写真処理装置の処理工程を説明するための図である。
【図４】写真処理装置におけるモニターに表示される変化率設定画面の一例の平面説明図である。
【図５】写真処理装置におけるモニターに表示されるジャッジ画面の一例の平面説明図である。
【符号の説明】
Ａ…写真処理装置、１…画像処理装置、２…画像露光現像装置、２０…モニター
６２…走査装置、９０…主制御装置、９１…制御部、９２…情報再生装置
９３…記憶手段、９４…演算処理手段、９５…補正手段
９５ａ…変化率設定手段、９５ｂ…選択用補正値設定手段
９５ｃ…選択用補正値表示手段、９５ｄ…補正値入力手段
９５ｅ…補正処理手段
【図１】
2004165779.tif 000005
【図２】
2004165779.tif 000006
【図３】
2004165779.tif 000007
【図４】
2004165779.tif 000008
【図５】
2004165779.tif 000009